(57)【要約】【課題】水量調節時にクリック感を発生させるクリック機構を広い取付スペースを占有しないで簡単に取り付けることのできるクリック機構付シングルレバー水栓を提供する。【解決手段】操作レバー２８及びこれと一体運動するレバー軸６４と、レバー軸６４の回転ガイド５０とを備え、操作レバー２８の上下回動操作及び左右回転操作を可動弁体４６に伝達して可動弁体４６を固定弁体４２に対し摺動運動させて水量調節及び温度調節を行うシングルレバー水栓１０において、操作レバー２８の上下回動操作の際に所定位置でクリック感を発生するクリック機構７４を回転ガイド５０と可動弁体４６の駆動部４８間に設ける。【選択図】　　　　図２
2004019714.tif 000002
【特許請求の範囲】
【請求項１】
（イ）上下回動操作に基づいて吐水の流量調節を行い、左右回転操作に基づいて吐水の温度調節を行う操作レバーと、（ロ）該操作レバーから水栓本体側に突出して該操作レバーと一体運動するレバー軸と、（ハ）前記水量調節方向に固定且つ温度調節方向に前記レバー軸と一体回転する、該レバー軸の回転ガイドとを備え、前記操作レバーの上下回動操作及び左右回転操作を前記レバー軸を介して可動弁体に伝達し、該可動弁体を固定弁体に対し摺動運動させて水量調節及び温度調節を行うシングルレバー式水栓において、
前記操作レバーの上下回動操作の際に所定位置でクリック感を発生するクリック機構を前記回転ガイドと前記可動弁体の駆動部との間に設けたことを特徴とするクリック機構付シングルレバー水栓。
【請求項２】
（イ）上下回動操作に基づいて吐水の流量調節を行い、左右回転操作に基づいて吐水の温度調節を行う操作レバーと、（ロ）該操作レバーから水栓本体側に突出して該操作レバーと一体運動するレバー軸と、（ハ）前記水量調節方向に固定且つ温度調節方向に前記レバー軸と一体回転する、該レバー軸の回転ガイドとを備え、前記操作レバーの上下回動操作及び左右回転操作を前記レバー軸を介して可動弁体に伝達し、該可動弁体を固定弁体に対し摺動運動させて水量調節及び温度調節を行うシングルレバー式水栓において、
前記操作レバーの上下回動操作の際に所定位置でクリック感を発生するクリック機構を、凸係合部を有する第１係合体と、凹係合部を有する第２係合体とを含んで構成し、それら第１係合体及び第２係合体の何れか一方を水量調節方向に可動の可動部材に、他方を水量調節方向に固定の固定部材にそれぞれ設け、且つそれら第１係合体及び第２係合体の一方を中空の枠形状となして、該枠形状に基づいて前記凸係合部と凹係合部との係合方向に弾性能を付与してあることを特徴とするクリック機構付シングルレバー水栓。
【請求項３】
請求項２において、前記固定部材が前記回転ガイドであり、前記可動部材が該回転ガイドに対して水量調節方向に直線運動する前記可動弁体の駆動部であることを特徴とするクリック機構付シングルレバー水栓。
【請求項４】
請求項２，３の何れかにおいて、前記第１係合体及び第２係合体の何れか一方を前記可動部材又は固定部材と別体に構成して、該可動部材又は固定部材に設けた嵌込凹所内に挿脱可能に装着したことを特徴とするクリック機構付シングルレバー水栓。
【請求項５】
請求項２〜４の何れかにおいて、前記第２係合体が前記第１係合体を設けた前記可動部材又は固定部材に向って突出しているとともに、該可動部材又は固定部材に該第２係合体を水量調節方向に相対移動可能に挿入させる凹所が設けてあり、それら第２係合体と凹所とで水量調節時の直線運動案内部を構成していることを特徴とするクリック機構付シングルレバー水栓。
【発明の詳細な説明】
【０００１】
【発明の属する技術分野】
この発明はシングルレバー水栓に関し詳しくはクリック機構付のものに関する。
【０００２】
【従来の技術】
従来、操作レバーの上下回動操作に基づいて吐水の水量調節を行い、左右回転操作に基づいて吐水の温度調節を行うシングルレバー水栓が、キッチン用水栓，浴室用水栓，洗面用水栓等として広く用いられている。
このシングルレバー水栓はレバー操作を軽やかに行うことができ、操作フィーリングが良好であるとともに、操作レバーを全閉状態から全開状態まで速やかに且つ一気に操作し得る特徴を有する。
【０００３】
しかしながらこの特徴は、反面において水量の微妙な調節が必ずしも行い易いとは言えない問題につながっている。
例えば比較的少量の水量でこと足りる場合であるにも拘らず、操作レバーの微妙な操作がしづらいことから、これを全閉状態からいきなり全開状態としてしまうといったことも往々にして行なわれ勝ちである。
この場合貴重な水が無駄に多く流されてしまうこととなる。
【０００４】
その対策として、従来、操作レバーが全閉状態から全開状態に到る操作途中の所定位置（設定位置）に到ったところで、クリック感を発生させるようになしたものが各種提案されている。
その多くはレバー軸と周辺部材との間にクリック機構を設けるものである。
【０００５】
例えば操作レバーと一体に運動するレバー軸に凹所を形成してそこにボールを収容するとともに、これを凹所内にセットしたスプリングにより飛び出し方向に付勢する一方、レバー軸とともに左右回転するレバー軸の回転ガイドの内周面に凹みを設け、ボールがレバー軸と一体に運動したとき、凹みの位置に到ったボールを回転ガイドの上記凹みに一部嵌り込ませることによって、操作レバーをクリック感をもってそこに一旦静止させるようにしたものが提案されている。
【０００６】
一方図８は他の例として特開２００１−７４１５２に開示されたものを示したもので、この例もまたレバー軸と周辺部材との間にクリック機構を設けた例である。
この例では、レバー軸２００と水栓本体のハウジング２０２の上部との間にクリック機構２０４を設けている。
このクリック機構２０４は、レバー軸２００に設けた係合凹部２０６と、そこに係合する係合凸部を備えた係合体２０８と、これを係合方向に付勢するスプリング２１０と、栓体２１２と、係合体２０８，スプリング２１０及び栓体２１２を保持するリング２１４とを備えている。
この例では、操作レバーの上下回動操作に基づいてレバー軸２００が軸２１６周りに回動し、そして所定位置に到ると係合体２０８の係合凸部が、レバー軸２００に設けた係合凹部２０６に弾性的に係合してそこでクリック感を発生させる。
【０００７】
【発明が解決しようとする課題】
しかしながらこの種クリック機構付の従来のシングルレバー水栓の場合、クリック機構の構成部品点数が多く、コスト高となるとともに、クリック機構が広い取付スペースを占有してしまう問題があった。
特にレバー軸周りは従来から多くの部品が組付けられており、そのようなレバー軸周りに取付スペースを確保してそこにクリック機構を設けることが難しい場合が多く、更にまた回動運動するレバー軸と水量調節方向に固定の部材との間で係合凹部と係合凸部とを互いに係合させ、クリック感を発生させることから、クリック機構の確実且つ滑らかな作動が難しいといった問題があった。
【０００８】
【課題を解決するための手段】
本発明のクリック機構付シングルレバー水栓はこのような課題を解決するために案出されたものである。
而して請求項１のものは、（イ）上下回動操作に基づいて吐水の流量調節を行い、左右回転操作に基づいて吐水の温度調節を行う操作レバーと、（ロ）該操作レバーから水栓本体側に突出して該操作レバーと一体運動するレバー軸と、（ハ）前記水量調節方向に固定且つ温度調節方向に前記レバー軸と一体回転する、該レバー軸の回転ガイドとを備え、前記操作レバーの上下回動操作及び左右回転操作を前記レバー軸を介して可動弁体に伝達し、該可動弁体を固定弁体に対し摺動運動させて水量調節及び温度調節を行うシングルレバー式水栓において、前記操作レバーの上下回動操作の際に所定位置でクリック感を発生するクリック機構を前記回転ガイドと前記可動弁体の駆動部との間に設けたことを特徴とする。
【０００９】
請求項２のものは、（イ）上下回動操作に基づいて吐水の流量調節を行い、左右回転操作に基づいて吐水の温度調節を行う操作レバーと、（ロ）該操作レバーから水栓本体側に突出して該操作レバーと一体運動するレバー軸と、（ハ）前記水量調節方向に固定且つ温度調節方向に前記レバー軸と一体回転する、該レバー軸の回転ガイドとを備え、前記操作レバーの上下回動操作及び左右回転操作を前記レバー軸を介して可動弁体に伝達し、該可動弁体を固定弁体に対し摺動運動させて水量調節及び温度調節を行うシングルレバー式水栓において、前記操作レバーの上下回動操作の際に所定位置でクリック感を発生するクリック機構を、凸係合部を有する第１係合体と、凹係合部を有する第２係合体とを含んで構成し、それら第１係合体及び第２係合体の何れか一方を水量調節方向に可動の可動部材に、他方を水量調節方向に固定の固定部材にそれぞれ設け、且つそれら第１係合体及び第２係合体の一方を中空の枠形状となして、該枠形状に基づいて前記凸係合部と凹係合部との係合方向に弾性能を付与してあることを特徴とする。
【００１０】
請求項３のものは、請求項２において、前記固定部材が前記回転ガイドであり、前記可動部材が該回転ガイドに対して水量調節方向に直線運動する前記可動弁体の駆動部であることを特徴とする。
【００１１】
請求項４のものは、請求項２，３の何れかにおいて、前記第１係合体及び第２係合体の何れか一方を前記可動部材又は固定部材と別体に構成して、該可動部材又は固定部材に設けた嵌込凹所内に挿脱可能に装着したことを特徴とする。
【００１２】
請求項５のものは、請求項２〜４の何れかにおいて、前記第２係合体が前記第１係合体を設けた前記可動部材又は固定部材に向って突出しているとともに、該可動部材又は固定部材に該第２係合体を水量調節方向に相対移動可能に挿入させる凹所が設けてあり、それら第２係合体と凹所とで水量調節時の直線運動案内部を構成していることを特徴とする。
【００１３】
【作用及び発明の効果】
上記のように本発明は、操作レバーの上下回動操作の際に所定位置でクリック感を発生するクリック機構を、レバー軸の回転ガイドと可動弁体の駆動部との間に設けたもので、このようにすれば、従来様々な部品が組付けられているレバー軸周りに取付スペースを確保する必要もないし、クリック機構の取付けによってレバー軸周りの構造が複雑化することもない。
【００１４】
一方回転ガイドと可動弁体間のスペースは従来特に利用されておらず、そこで本発明に従ってクリック機構を回転ガイドと可動弁体の駆動部との間に設ければ、特に構造を煩雑化させることなく、シングルレバー水栓にクリック機能を付与することができる。
また本発明では操作レバーの上下回動操作時、即ち水量調節時に回転ガイドに対して直線運動する駆動部と回転ガイドとの間にクリック機構を設けているため、クリック機構を滑らかに且つ確実に作動させることができる利点がある。
【００１５】
次に請求項２は、クリック機構を、凸係合部を有する第１係合体と凹係合部を有する第２係合体とを含んで構成するとともに、何れか一方を水量調節方向に可動の可動部材に、他方を水量調節方向に固定の固定部材に設け、且つ第１係合体，第２係合体の少なくとも一方を中空の枠形状となして、その枠形状に基づいて凸係合部と凹係合部との係合方向に弾性能を付与したものである。
【００１６】
この請求項２によれば、クリック機構を繰返し働かせた場合においても、凸係合部或いは凹係合部が次第に摩耗してクリック感が弱くなったり或いは消失してしまうのを有効に防止することができるとともに、操作レバーの操作時に、上記弾性作用によって凸係合部と凹係合部との間に働く荷重を小さくでき、これによってレバー操作の際の抵抗力を小さくし得て、クリック機構を設けることにより操作レバーの操作感が損われる問題を回避することができる。
【００１７】
この請求項２においては、上記回転ガイドを固定部材とし、その回転ガイドに対して水量調節方向に直線運動する可動弁体の駆動部を可動部材となすことができる（請求項３）。
【００１８】
次に請求項４は、第１係合体及び第２係合体の何れか一方を可動部材又は固定部材と別体に構成し、そしてこれを可動部材又は固定部材に設けた嵌込凹所内に挿脱可能に装着するようになしたもので、このようにすれば、クリック機構が不要である場合には嵌込凹所内に挿入状態に装着した第１係合体又は第２係合体を取り外すことで、簡単にクリック機構を有しないシングルレバー水栓を構成することができる。
即ちクリック機構を有する水栓とクリック機構を有しない水栓との部品の共通化を図ることができる。
【００１９】
次に請求項５は、第２係合体を第１係合体を設けた可動部材又は固定部材に向って突出させるとともに、可動部材又は固定部材に、第２係合体を水量調節方向に移動可能に挿入する凹所を設けて、それら第２係合体と凹所とで水量調節時の直線運動案内部を構成したもので、この請求項５によれば、回転ガイド及び駆動部間に第１係合体及び第２係合体を収容状態で組み付けることができ、それら回転ガイド及び駆動部の外部にクリック機構取付のためのスペースを確保する必要がなく、従ってシングルレバー水栓における弁部ないし周辺部分をコンパクトに保持することができる。
また直線運動案内部の働きで固定部材に対する可動部材の直線運動を滑らかに行わせることができる。
【００２０】
【実施例】
次に本発明の実施例を図面に基づいて詳しく説明する。
図１において１０はシングルレバー水栓で、カウンター１２に対し、互いに離隔した位置において水栓本体１４と吐水部１６とが取り付けられている。
【００２１】
吐水部１６は、吐水口１９を有する吐水ヘッド１８と、これを保持するホルダ管２０とを有しており、その吐水ヘッド１８が、これに接続された可撓性のホース２２とともにホルダ管２０から引出し可能とされている。
【００２２】
２４，２４は水栓本体１４に対し水，湯を供給するサプライ管で、これらサプライ管２４を通じて送られて来た水，湯が水栓本体１４内部で混合され、その混合水が水栓本体１４から下向きに突き出した流出管２６を通じて外部に流出する。
【００２３】
この流出管２６には上記ホース２２の端部が接続されており、流出管２６を通じて流出した混合水が、ホース２２を通じて上記吐水ヘッド１８へと送られる。
【００２４】
水栓本体１４の上部には操作レバー２８が上下回動及び左右回転可能に設けられている。
この例のシングルレバー水栓１０の場合、操作レバー２８を上下回動操作することで水量調節（吐止水を含む）が行われ、また左右回転操作することで吐水の温度調節が行われる。
【００２５】
尚この例のシングルレバー水栓１０の場合、操作レバー２８が回動下端に位置する状態が全閉状態であり、この位置から操作レバー２８を上向きに回動操作することで吐水が開始され、更にその上方への回動量を大きく又は小さくすることで吐水の水量が大流量に又は小流量に調節される。
【００２６】
図２に水栓本体１４の内部構造が具体的に示してある。
同図において３０はハウジング（ここでは樹脂製）で、下部が円筒部３２とされており、その円筒部３２がカウンター１２を貫通して下向きに突き出し、カウンター１２の裏側において締付ナット３４及び三角パッキン３６によりカウンター１２に固定されている。
上記サプライ管２４及び流出管２６は、この円筒部３２の内部に挿入されて、ハウジング３０内の底部３８に接続されている。
【００２７】
ハウジング３０の内部には、弁カートリッジ４０が収容されている。
弁カートリッジ４０は、カートリッジハウジングが底部４４と上部のキャップ５２とに分かれていて、それらが上下に結合されている。
【００２８】
これらにより形成される弁カートリッジハウジングの内側には、セラミックディスクから成る固定弁体４２と、その上面を摺動運動するセラミックディスクから成る可動弁体４６と、その駆動部４８、更に後述するレバー軸６４と一体に左右回転して操作レバー２８の左右回転運動を可動弁体４６に伝達するための、レバー軸６４の回転ガイド５０が組み付けられている。
【００２９】
これら要素からなる弁カートリッジ４０は、キャップ５２においてハウジング３０の一部を成す固定ナット５４により下向きに押し付けられている。ここで固定ナット５４はハウジング３０の本体に対しねじ込み固定されている。
尚５６は化粧カバーである。
【００３０】
操作レバー２８の基端にはスカート部５８が一体に形成されている。このスカート部５８の内側には、中心部においてボス部６０が一体に形成され、そのボス部６０に対し、レバー軸６４の上部が操作レバー２８と一体運動する状態でねじ６６により固定されている。
尚、図４に示しているようにレバー軸６４の下端部にはフォーク部６２が設けられており、そのフォーク部６２が、駆動部４８に形成された係合凹所６８に入り込んで係合し、それらフォーク部６２と係合凹所６８の係合に基づいて、駆動部４８がレバー軸６４の図２中軸７２周りの回動運動及び紙面と直角方向の回転運動と一体に運動する。
尚軸７２の端部は回転ガイド５０に結合されており、レバー軸６４は、回転ガイド５０に対し軸７２周りに相対回動する一方、紙面と直角方向に回転ガイド５０と一体に回転運動する。
【００３１】
この例のシングルレバー水栓１０の場合、操作レバー２８を上下回動操作すると、レバー軸６４が軸７２周りに回動運動し、これに伴って駆動部４８により可動弁体４６が固定弁体４２の上面を図２中左右方向に直線摺動運動し、水量調節を行う。
また操作レバー２８を図２中紙面と直角方向に左右回転操作すると、その回転運動が回転ガイド５０及び駆動部４８を介して可動弁体４６に伝えられ、これにより可動弁体４６が固定弁体４２上を紙面と直角方向に回転運動して吐水の温度調節を行う。
【００３２】
図３〜図５に示しているように、回転ガイド５０と駆動部４８との間、詳しくは回転ガイド５０と駆動部４８とに跨って、操作レバー２８の上下回動操作の際（即ち水量調節操作の際）に所定位置でクリック感を発生するクリック機構７４が設けてある。
このクリック機構７４は、図５に示しているように第１係合体７６と、第２係合体７８とを含んで構成されている。
【００３３】
図６に示しているように、第１係合体７６は全体として中空部８０を有する矩形枠状に構成されており、その上端に凸係合部８２が形成されている。
この第１係合体７６は、その枠形状に基づいて図５中上下方向、即ち凸係合部８２の第２係合体７８における後述する係合溝への係合方向に所定の弾性能が付与されている。
【００３４】
駆動部４８には、その上面に凹所８４が形成されている。
この凹所８４は、第２係合体７８を水量調節方向即ち図３中左右方向に相対移動可能に収容するもので、この凹所８４の底面から下向きに嵌込凹所８６が設けられている。
上記第１係合体７６は、凹所８４の底面で開口する開口部８８を通じて嵌込凹所８６内部に脱着可能に挿入される。而してその挿入状態において、第１係合体７６の上端部の凸係合部８２が、凹所８４の底面より所定高さ上向きに突出した状態となる。
【００３５】
一方第２係合体７８は、回転ガイド５０の下面且つ下向きに突出状態で回転ガイド５０に一体に設けられている。
この第２係合体７８の下面には、水量調節時に駆動部４８の移動方向、即ち図３中左右方向に沿って複数の係合溝（凹係合部）９０Ｓ，９０Ａ，９０Ｂ，９０Ｆが形成されている。
そしてこれら係合溝９０Ｓ，９０Ａ，９０Ｂ，９０Ｆに、上記の第１係合体７６における凸係合部８２を弾性係合させることによって、クリック感を発生させるようになっている。
【００３６】
ここで係合溝９０Ｓは、操作レバー２８全閉時において凸係合部８２を係合させる部分であり、また係合溝９０Ｆは操作レバー全開時において凸係合部８２を係合させる部分である。
【００３７】
一方それらの中間の係合溝９０Ａ，９０Ｂのうち係合溝９０Ａは、操作レバー２８を全閉状態から僅かに開いたところで凸係合部８２を係合させる部分であり、また係合溝９０Ｂは、更にその状態から操作レバー２８を開側に操作したところで凸係合部８２を係合させる部分である。
【００３８】
尚、上記のように第２係合体７８は駆動部４８に形成された凹所８４内に収容され、その凹所８４内部において水量調節の際に駆動部４８に対し図２中左右方向に相対的に移動する。
詳しくは、凹所８４内において第２係合体７８を相対移動させるようにして、駆動部４８が水量調節方向に回転ガイド５０に対し相対的に直線運動する。
【００３９】
図７に本例のクリック機構付シングルレバー水栓の作用が示してある。
図７中（Ｉ）は、操作レバー２８全閉時の状態を表しており、このとき第１係合体７６の凸係合部８２は第２係合体７８の係合溝９０Ｓに係合した状態にある。
この状態から操作レバー２８を図中上向きに回動操作すると、第１係合体７６を収縮方向に撓ませながら、凸係合部８２が第２係合体７８の係合溝９０Ｓから外れ、そしてあるところでこれに続く係合溝９０Ａに嵌り込んでこれに係合する（図７（ＩＩ）参照）。
【００４０】
そのとき発生するクリック感に基づいて、水栓使用者は操作レバー２８が第１の設定位置に来たことを感じ取ることができる。
更にまたこの状態から操作レバー２８を図中上向きに回動操作すると、係合溝９０Ａに係合していた凸係合部８２が更にその次の係合溝９０Ｂに係合するに到り、そこで２段目のクリック感を発生させてそこに一旦操作レバー２８が静止する。
更にその状態から操作レバー２８を上向きに回動操作すると、係合溝９０Ｂに係合していた凸係合部８２が最終段の係合溝９０Ｆにクリック感を発生させながら係合し（図７（ＩＩＩ）参照）、操作レバー２８が最終位置に到ったことを使用者に知らしめる。
【００４１】
尚この例では全閉状態から全開状態に到る途中の２箇所でクリック感を発生させるようにしているが、勿論１箇所だけであっても良いし、或いは３箇所以上でクリック感を発生させるようになすこともできる。
【００４２】
以上のような本例のシングルレバー水栓１０にあっては、クリック機構７４を、レバー軸６４の回転ガイド５０と可動弁体４６の駆動部４８との間に設けており、従って従来様々な部品が組み付けられているレバー軸６４周りにクリック機構取付けのためのスペースを確保したり、或いはそこにクリック機構を取り付けることによってレバー軸６４周りの構造が煩雑化するといったことがなく、容易にクリック機構７４をシングルレバー水栓１０、詳しくは弁部周りに組み付けることができる。
【００４３】
即ち本例では従来特に利用されていない回転ガイド５０と可動弁体４６の駆動部４８との間のスペースを有効活用し、そこにクリック機構７４を設けていることから、従来様々な部品が組み込まれ構造が複雑な弁カートリッジ４０内部を特に構造的に複雑化させることなく、更にまた弁カートリッジ４０を大型化させることなく、そこにクリック機構７４を組み込むことができる。
【００４４】
また本例では操作レバー２８の上下回動操作時、即ち水量調節時に回転ガイド５０に対して直線運動する駆動部４８とその回転ガイド５０との間にクリック機構７４を設けているため、クリック機構７４を滑らかに且つ確実に作動させることができる。
本例ではまた、第１係合体７６を中空の枠状となし、その枠形状に基づいて凸係合部８２と凹係合部としての係合溝９０Ｓ〜９０Ｆとの係合方向に弾性能を付与しているため、凸係合部８２を係合溝９０Ｓ〜９０Ｆに係合させるに際し大きな抵抗力を発生させず、操作レバー２８を軽やかに操作しながら確実に第１係合体７６の弾性能に基づいて明確なクリック感を発生させることができる。
【００４５】
またその第１係合体７６の弾性変形に基づいてクリック感を発生させるようになしてあるため、凸係合部８２或いは係合溝９０Ｓ〜９０Ｆ周りの部分がクリック機構７４を働かせるうちに大きく摩耗して、次第にクリック感が弱くなったり或いは消失してしまうのを有効に防止することができる。
【００４６】
また本例では第１係合体７６を脱着可能に駆動部４８に装着しているため、クリック機構が不要である場合にはその第１係合体７６を駆動部４８から取り外すだけで、簡単にクリック機構を有しないシングルレバー水栓を構成することができる。
即ちクリック機構を有する水栓とクリック機構を有しない水栓との部品の共通化を図ることができる。
【００４７】
また本例では駆動部４８側に凹所８４を設けて、そこに回転ガイド５０側に突出状に設けた第２係合体７８を収容しているため、クリック機構７４を組付けることによって回転ガイド５０，駆動部４８が特に大型化したり、或いはクリック機構７４がそれら回転ガイド５０，駆動部４８から外部にはみ出した状態となって弁カートリッジ４０を大型化するといったことも生じず、従来と殆ど同様の外観を保持しつつ、そこにクリック機能を持たせることができる。
【００４８】
また突出状の第２係合体７８が凹所８４内部において水量調節方向に相対運動し、その際にそれら第２係合体７８及び凹所８４が直線運動案内部を構成するため、駆動部４８を回転ガイド５０に対し水量調節方向に円滑に移動案内できる機能も併せて得られる利点がある。
【００４９】
以上本発明の実施例を詳述したがこれはあくまで一例示である。
例えば第２係合体７８を駆動部４８側に、また第１係合体７６を回転ガイド５０側に設けることも場合によって可能であるし、更にまた第２係合体７８を矩形枠状に構成して第２係合体７８の側にも弾性能を持たせることも可能である。
またこの例では第２係合体７８を回転ガイド５０に一体に設けているが、場合によりこれを別体に構成して脱着可能に回転ガイド５０に取り付けるといったことも可能であるなど、本発明はその主旨を逸脱しない範囲において種々変更を加えた形態で構成可能である。
【図面の簡単な説明】
【図１】本発明の一実施例であるシングルレバー水栓を示す図である。
【図２】同実施例の水栓本体の内部構造を示す図である。
【図３】図２の要部を更に拡大して示す図である。
【図４】図３の弁カートリッジを各部材に分解して示す図である。
【図５】同実施例のクリック機構とその周辺部を示す図である。
【図６】同実施例のクリック機構における第１係合体を示す図である。
【図７】同実施例のクリック機構の作用説明図である。
【図８】従来のクリック機構付シングルレバー水栓の要部を示す図である。
【符号の説明】
１０　シングルレバー水栓
１４　水栓本体
２８　操作レバー
４２　固定弁体
４６　可動弁体
４８　駆動部
５０　回転ガイド
６４　レバー軸
７４　クリック機構
７６　第１係合体
７８　第２係合体
８２　凸係合部
８４　凹所
８６　嵌込凹所
９０Ｓ，９０Ａ，９０Ｂ，９０Ｆ　係合溝（凹係合部）
【図１】
2004019714.tif 000003
【図２】
2004019714.tif 000004
【図３】
2004019714.tif 000005
【図４】
2004019714.tif 000006
【図５】
2004019714.tif 000007
【図６】
2004019714.tif 000008
【図７】
2004019714.tif 000009
【図８】
2004019714.tif 000010